(57)【要約】      （修正有）【課題】ペットを拘束する時間を短縮して、ペットのストレスを小さくすることができるとともに、「鑑札」および「注射済票」の装着性を高めることができる、ペット用リードを提供する。【解決手段】本ペット用リード１０は、リード紐１４と、リード紐１４を引き出し可能に巻き取る巻取り装置と、巻取り装置およびそれに巻き取られたリード紐１４を収容するリードケース１８と、リードケース１８をペットに装着された装着具１２に取り付ける取付部２０と、リードケース１８に設けられ、収容物（鑑札Ａおよび注射済票Ｂ等）を収容する収容ケース２２とを備える。【選択図】図１
0003159267.tif 000002
【実用新案登録請求の範囲】
【請求項１】
リード紐と、
前記リード紐を引き出し可能に巻き取る巻取り装置と、
前記巻取り装置およびそれに巻き取られた前記リード紐を収容するリードケースと、
前記リードケースをペットに装着された装着具に取り付ける取付部と、
前記リードケースに設けられ、収容物を収容する収容ケースとを備える、ペット用リード。
【請求項２】
前記収容物は鑑札および注射済票の少なくとも一方であり、
前記収容ケースは、透明材料からなる透明部と、鑑札および注射済票の少なくとも一方を前記透明部を通して視認できるように支持する支持部とを有する、請求項１に記載のペット用リード。
【請求項３】
前記リード紐の端部は前記リードケースの外部に引き出されており、
前記端部には把持部が設けられている、請求項１または２に記載のペット用リード。
【請求項４】
前記巻取り装置は、前記リード紐が巻き付けられる回転体と、前記回転体の回転動作をロックするロック部と、前記ロック部による前記回転体のロック状態を解除するロック解除部とを有する、請求項１ないし３のいずれかに記載のペット用リード。
【請求項５】
前記ロック部は、前記回転体の軸方向端面に形成され、前記回転体の回転軸の周囲に周方向に間隔を隔てて配置された複数の第１係止部と、前記リードケースの内面に形成され、前記複数の第１係止部に周方向から同時に係止される複数の第２係止部とを有し、
前記ロック解除部は、前記回転体をその回転軸に対して平行方向に移動させることによって、前記複数の第１係止部に対する前記複数の第２係止部の係止状態を解除する移動機構を有する、請求項４に記載のペット用リード。
【請求項６】
前記移動機構は、操作者の手指で押される入力部を有し、
前記入力部から入力される押圧力によって前記回転体がその回転軸に対して平行方向に移動される、請求項５に記載のペット用リード。
【請求項７】
前記ロック部は、前記複数の第１係止部に対する前記複数の第２係止部の係止状態を保持する弾性部材を有し、
前記入力部から入力される押圧力によって前記弾性部材が弾性変形されるとともに、前記押圧力の解除後は、前記弾性部材の弾性復元力によって前記回転体が元の位置まで戻される、請求項６に記載のペット用リード。
【考案の詳細な説明】
【技術分野】
【０００１】
本考案は、犬、猫および猿等のペットに取り付けられる「巻取り式」のペット用リードに関する。
【背景技術】
【０００２】
従来の一般的なペット用リードは、ペットの動きを規制するリード紐を有しており、リード紐の一方端部には、係止部が設けられており、リード紐の他方端部には、把持部が設けられている。そして、ペットを散歩に連れ出す際には、係止部がペットの首輪等に取り付けられるとともに、把持部が飼い主等によって握られ、ペットの動きがリード紐の長さを限度とする範囲内に制限されていた。したがって、リード紐の長さが短過ぎる場合には、ペットの動きが必要以上に制限されるおそれがあり、一方、リード紐の長さが長過ぎる場合には、ペットの動きを狭い範囲内に制限したい場合に不便であった。
【０００３】
そこで、近年では、リード紐の長さを状況に応じて適宜変更することができる「巻取り式」のペット用リードが開発されており、たとえば、特許文献１には、係留紐体（３）（すなわちリード紐）の一方端部にフック具（４）（すなわち係止部）を設けるとともに、他方端部に把持部（７）および巻取部（８）を設けたペット用リード（１）が記載されている。なお、上記括弧内数字は、特許文献１に記載された参照番号に対応している（以下、同じ。）。
【先行技術文献】
【特許文献】
【０００４】
【特許文献１】特開２００３−３１９７２９号公報
【考案の概要】
【考案が解決しようとする課題】
【０００５】
特許文献１に記載されたペット用リード（１）によれば、係留紐体（３）の長さを適宜変更することができるので、ペットが動く範囲を状況に応じて簡単かつ適切に調節することができる。しかし、首輪等にフック具（４）が取り付けられている限り、ペットが完全に自由にされることはなく、ペットを拘束する時間が長くなって、ペットにストレスを与えるという課題があった。
【０００６】
また、狂犬病予防法では、「鑑札」および「注射済票」を飼い犬に装着することが飼い主の義務として規定されているが、従来（特許文献１を含む。）では、「鑑札」および「注射済票」を首輪に直接固定するようにしていたので、その固定作業が面倒であるとう課題があった。
【０００７】
本考案は、上記課題を解決するためになされたものであり、ペットを拘束する時間を短縮して、ペットのストレスを小さくすることができるとともに、「鑑札」および「注射済票」の装着性を高めることができる、ペット用リードを提供することを目的とする。
【課題を解決するための手段】
【０００８】
上記課題を解決するために、本考案のペット用リードは、リード紐と、前記リード紐を引き出し可能に巻き取る巻取り装置と、前記巻取り装置およびそれに巻き取られた前記リード紐を収容するリードケースと、前記リードケースをペットに装着された装着具に取り付ける取付部と、前記リードケースに設けられ、収容物を収容する収容ケースとを備える。
【０００９】
この構成では、巻取り装置およびそれに巻き取られたリード紐がリードケースに収容され、このリードケースが取付部を介してペットに装着された装着具（首輪および胴体ベルト等）に取り付けられる。したがって、ペットを散歩に連れ出す際には、巻取り装置からリード紐を必要な長さだけ引き出して使用することが可能であり、ペットの動きを必要以上に制限するのを防止することができる。また、リード紐の全体を巻取り装置で巻き取ってリードケース内に収容しておくことができるので、ペット用リードをペットに装着したままでもペットの自由を確保することが可能であり、たとえば、ペットをドッグランで遊ばせるときや、自動車（マイカー）に乗せるときには、リード紐を巻取り装置で巻き取るだけで、ペットの自由を速やかに確保することができる。
【００１０】
また、リードケースに設けられた収容ケースには、「鑑札」および「注射済票」を収容することができるので、これらの装着性を高めることができる。
【００１１】
前記収容物は「鑑札」および「注射済票」の少なくとも一方であり、前記収容ケースは、透明材料からなる透明部と、「鑑札」および「注射済票」の少なくとも一方を前記透明部を通して視認できるように支持する支持部とを有していてもよい。
【００１２】
この構成では、収容ケースに収容された「鑑札」および「注射済票」の少なくとも一方を、透明部を通して外部から視認することができるので、ペットが迷子になった場合でも、飼い主を迅速に探し出すことができる。
【００１３】
前記リード紐の端部は前記リードケースの外部に引き出されており、前記端部には把持部が設けられていてもよい。
【００１４】
この構成では、リード紐の端部に把持部が設けられているので、飼い主は、把持部を把持することによって、ペットの牽引力に容易に対抗することができる。
【００１５】
前記巻取り装置は、前記リード紐が巻き付けられる回転体と、前記回転体の回転動作をロックするロック部と、前記ロック部による前記回転体のロック状態を解除するロック解除部とを有していてもよい。
【００１６】
この構成では、回転体に巻き付けられるリード紐の長さを調節することによって、巻取り装置から引き出されたリード紐の長さ（すなわちペットが運動できる範囲）を調節することができる。また、回転体の回転動作をロック部でロックすることによって、リード紐の長さを固定することができる。
【００１７】
前記ロック部は、前記回転体の軸方向端面に形成され、前記回転体の回転軸の周囲に周方向に間隔を隔てて配置された複数の第１係止部と、前記リードケースの内面に形成され、前記複数の第１係止部に周方向から同時に係止される複数の第２係止部とを有し、前記ロック解除部は、前記回転体をその回転軸に対して平行方向に移動させることによって、前記複数の第１係止部に対する前記複数の第２係止部の係止状態を解除する移動機構を有していてもよい。
【００１８】
この構成では、複数の第２係止部が複数の第１係止部に係止されることによって回転体の回転力が複数の第２係止部に分散して受けられる。したがって、第１係止部および第２係止部のサイズが小さくても、ロック部全体として大きな係止力を発揮することが可能であり、小型・軽量化を図ることができる。また、回転体を移動機構で移動させることによって、複数の第１係止部に対する複数の第２係止部の係止状態を速やかに解除することができる。
【００１９】
前記移動機構は、操作者の手指で押される入力部を有し、前記入力部から入力される押圧力によって前記回転体がその回転軸に対して平行方向に移動されるように構成されてもよい。
【００２０】
この構成では、操作者の手指で入力部が押されることによって回転体が移動され、ロック部による回転体のロック状態が解除される。
【００２１】
前記ロック部は、前記複数の第１係止部に対する前記複数の第２係止部の係止状態を保持する弾性部材を有し、前記入力部から入力される押圧力によって前記弾性部材が弾性変形されるとともに、前記押圧力の解除後は、前記弾性部材の弾性復元力によって前記回転体が元の位置まで戻されるように構成されてもよい。
【００２２】
この構成では、操作者の手指で入力部が押されることによって回転体のロック状態が解除され、その後、入力部から手指を離すと、弾性部材の弾性復元力によって回転体が元の位置まで戻され、当該弾性部材によって回転体のロック状態が保持される。したがって、リード紐の長さを調節するときにだけ、回転体のロック状態を一時的に解除することが可能であり、リード紐の長さを調節した後には、回転体を直ちにロック状態にしてリード紐の長さを固定することができる。
【考案の効果】
【００２３】
本考案に係るペット用リードによれば、ペットを散歩に連れ出す際には、巻取り装置からリード紐を必要な長さだけ引き出して使用することができ、リード紐を使用しないときには、リード紐を巻取り装置に巻き取ってリードケース内に収容しておくことができる。したがって、従来のように散歩のたびに首輪等に係止部（或いはフック具）を取り付ける手間を省くことができ、ペットを自由にする機会を増やして、ペットのストレスを小さくすることができる。また、リードケースに設けられた収容ケースに「鑑札」および「注射済票」等を収容することができるので、「鑑札」および「注射済票」をペットに簡単に装着することができる。したがって、本考案に係るペット用リードを広く普及させることによって、「鑑札」および「注射済票」の装着率を高めることが可能であり、狂犬病の予防に寄与することができるとともに、迷子犬の飼い主を速やかに探し出す体制を作ることができる。
【図面の簡単な説明】
【００２４】
【図１】図１は、第１実施形態に係るペット用リードの構成を示す斜視図である。
【図２】図２は、第１実施形態に係るペット用リードの構成を示す分解斜視図である。
【図３】図３は、第１実施形態に係るペット用リードの構成を示す断面図である。
【図４】図４は、巻取り装置の一部の構成を示す図であり、（Ａ）は上方斜視図、（Ｂ）は断面図、（Ｃ）は下方斜視図である。
【図５】図５は、巻取り装置の一部の構成を示す分解斜視図である。
【図６】図６は、リードケースおよび収容ケースの構成を示す斜視図である。
【図７】図７は、リードケースに対する収容ケースの取付構造を示す断面図である。
【図８】図８は、回転体のロック状態を解除した状態を示す断面図である。
【考案を実施するための形態】
【００２５】
以下に、本考案の好ましい実施形態を、図面を参照しながら説明する。
（第１実施形態）
［ペット用リードの全体構造］
図１は、本考案の第１実施形態に係るペット用リード１０の構成を示す斜視図であり、図２は、ペット用リード１０の構成を示す分解斜視図であり、図３は、ペット用リード１０の構成を示す断面図である。
【００２６】
図１に示すように、ペット用リード１０は、犬、猫および猿等のペット（図示省略）に装着された装着具１２（図１）に取り付けられるものであり、図２に示すように、リード紐１４と、リード紐１４を引き出し可能に巻き取る巻取り装置１６と、巻取り装置１６およびそれに巻き取られたリード紐１４を収容するリードケース１８と、リードケース１８を装着具１２に取り付ける取付部２０と、リードケース１８に設けられ、「収容物」としての鑑札Ａおよび注射済票Ｂ等を収容する収容ケース２２（図１）とを備えている。
【００２７】
図１に示した装着具１２は、ペットの首に装着される「首輪」であり、合成樹脂、皮革、天然繊維、或いはその他の材料からなる装着ベルト１２ａを有しており、装着ベルト１２ａが取付部２０に挿通されるようになっている。なお、装着具１２の種類は、「首輪」に限定されるものではなく、たとえば、ペットの胴体に装着される「胴体ベルト」等であってもよい。
［リードケースおよび取付部の構成］
図２に示すように、リードケース１８は、その内部に巻取り装置１６およびそれに巻き取られたリード紐１４を収容する収容空間Ｓ１を構成する略直方体状の箱状部材であり、ケース本体２４と蓋体２６とを有している。
【００２８】
ケース本体２４は、略長方形のロック板部２８と、ロック板部２８の周縁部にロック板部２８の主面に対して垂直に形成された４つの側壁部３０ａ〜３０ｄとを有しており、ロック板部２８における長手方向中央部より一方端部側（本実施形態では側壁部３０ｃ側）に偏った部分には、ロック解除部３２のボタン３４が配置される円形の貫通孔３６が形成されており、ロック板部２８の内面における貫通孔３６の内周部には、ボタン３４の一部が回転自在に嵌合される環状の段部３６ａが形成されている。また、ロック板部２８の内面における貫通孔３６の周囲には、ロック部３８を構成する複数の第２係止部４０が周方向に間隔を隔てて形成されている。
【００２９】
そして、ロック板部２８の長辺（すなわち長手方向に対して直交する方向の端縁）に形成された側壁部３０ａの外面中央部には、装着ベルト１２ａ（図１）が挿通される環状の取付部２０が一体的に設けられており、当該側壁部３０ａに対向する側壁部３０ｂの中央部には、リード紐１４が挿通される円形の貫通孔４２が形成されている。さらに、ケース本体２４におけるロック板部２８に対向する面には、開口部４４が形成されており、この開口部４４に対して蓋体２６が接合されている。本実施形態では、環状の取付部２０の軸が側壁部３０ａの長手方向に対して平行方向に延びている。したがって、取付部２０に挿通される装着ベルト１２ａ（図１）は、側壁部３０ａの長手方向に対して平行方向に延びることとなり、リードケース１８の長手方向端部がペットの体（本実施形態では首）に当たるのを防止することができる。
【００３０】
蓋体２６は、ケース本体２４の開口部４４を閉塞する板状部材であり、蓋体２６の内面周縁部には、開口部４４の周縁部を受ける段部２６ａが形成されており、蓋体２６における貫通孔３６に対向する領域の中央部には、棒状の支柱４６が収容空間Ｓ１内に突出するように形成されている。そして、支柱４６の中央部には、ゼンマイ４８の係止部９２（図３）を係止するスリット５０が軸方向に延びて形成されており、支柱４６の先端部には、ロック部３８のコイルばね５２（図３）を係止する係止突起５４が形成されている。さらに、蓋体２６の内面における支柱４６の周囲には、巻取り装置１６の回転体５６を回転方向に案内する円形のガイド溝５８が形成されており、蓋体２６の４つのコーナ部の近傍には、収容ケース２２（図１、図３）を接合する４つの接合孔６０が形成されている。
【００３１】
ケース本体２４、蓋体２６および取付部２０は、ペットの牽引力によって破壊されない強度を有する必要があり、ケース本体２４と取付部２０との接合部や、ケース本体２４と蓋体２６との接合部は、ペットの牽引力によって離脱されない強度を有する必要がある。そこで、本実施形態では、ケース本体２４と取付部２０とがアルミニウム合金等の高強度材料によって一体的に形成されるとともに、蓋体２６が同じく高強度材料によって形成されており、ケース本体２４と蓋体２６とが溶接または接着等のような強固な接合手段を用いて一体的に接合されている。
【００３２】
なお、本実施形態では、取付部２０とケース本体２４とが一体的に形成されているが、これらが別々に形成された後にボルト・ナット等のような接合手段を用いて接合されてもよい。また、この場合には、取付部２０がケース本体２４に対して回転自在に接合されてもよいし、取付部２０がロック機構を有するフック状に構成されてもよい。ただし、取付部２０がケース本体２４に対して回転自在に接合される場合には、リードケース１８の形状や大きさを適宜変更して、リードケース１８がペットの体に当たるのを防止することが望ましい。
［リード紐の構成］
図２に示すように、リード紐１４は、ペットの動きをその長さを限度として制限するものであり、ナイロン、ポリエステル、超高分子ポリエチレン、アラミド繊維、或いはその他の柔軟性を有する高強度材料によって紐状または帯状に形成されている。リード紐１４の「太さ」および「長さ」は、リード紐１４の全体を巻取り装置１６に巻き取ってリードケース１８の内部に収容できるように設計されており、材料強度が高いほど、リード紐１４の太さを細くして、長さを長くすることが可能である。
【００３３】
そして、リード紐１４の一方端部１４ａが、巻取り装置１６に接合されており、リード紐１４の他方端部１４ｂには、飼い主等が把持する環状の把持部６２が取り付けられている。把持部６２の「大きさ」および「形状」は、飼い主等の手のひらに握り込んだり、手指を通したりすることができるように設計されており、本実施形態では、全体が金属または合成樹脂等によってリング状に形成されている。
【００３４】
なお、把持部６２の形状は、リング状の他、フック状やブロック状であってもよく、また、把持部６２よりも把持性に優れた補助把持部（図示省略）を把持部６２に取り付けて用いるようにしてもよい。
［巻取り装置の構成］
図３は、ペット用リード１０（巻取り装置１６を含む。）の構成を示す断面図であり、図４は、巻取り装置１６の一部の構成を示す上方斜視図、断面図および下方斜視図であり、図５は、巻取り装置１６の一部の構成を示す分解斜視図である。
【００３５】
図３に示すように、巻取り装置１６は、リード紐１４が巻き付けられる回転体５６と、回転体５６にリード紐１４を巻き付ける動力を発生させるゼンマイ４８と、回転体５６の回転動作をロックするロック部３８と、ロック部３８による回転体５６のロック状態を解除するロック解除部３２とを有している。以下、これらの構成を順に説明する。
【００３６】
＜回転体の構成＞
図４（Ｂ）に示すように、回転体５６は、その外面（以下、「巻取り面」という。）７０ａにリード紐１４を巻き取る筒状の巻取り部７０を有しており、巻取り部７０の軸方向一方端部７０ｂおよび軸方向他方端部７０ｃのそれぞれの外周部には、巻き取ったリード紐１４（図３）のずれを防止する第１鍔部７２および第２鍔部７４が形成されている。また、巻取り部７０の内部には、ゼンマイ４８を収容するゼンマイ収容部７６が形成されており、巻取り部７０および第２鍔部７４の周方向の一部には、ゼンマイ４８の一部を通すスリット７８が形成されている。さらに、巻取り部７０におけるスリット７８の近傍には、ゼンマイ４８の外側端部４８ｂを挿通させてそのフック部８０を係止するゼンマイ係止孔８２と、リード紐１４の一方端部１４ａを挿通させてその結び目８３（図３）を係止するリード紐係止孔８４とが形成されている。
【００３７】
そして、巻取り部７０の軸方向一方端部７０ｂの内周部には、ロック解除部３２のボタン３４を回転自在に係止するボタン係止部８６が形成されており、第１鍔部７２の外側面７２ａ（すなわち回転体５６の軸方向一方端面）には、複数（本実施形態では８個）の第１係止部８８が形成されており、第２鍔部７４の外側面７４ａ（すなわち回転体５６の軸方向他方端面）には、円筒状のガイド部９０が形成されている。
【００３８】
図４（Ｂ）に示すように、ボタン係止部８６は、巻取り部７０の内周面に突出して形成された環状の係止部本体８６ａを有しており、係止部本体８６ａの軸方向一方端部の端面には、環状のガイド溝８６ｂが形成されており、軸方向他方端部の内周面には、環状の段部８６ｃが形成されている。図５に示すように、複数の第１係止部８８のそれぞれは、後述するロック部３８を構成する略扇形の突部であり、回転体５６の回転軸Ｐを中心として、周方向に一定の間隔（角度間隔）を隔てて配置されている。
【００３９】
図４（Ｂ），（Ｃ）に示すように、ガイド部９０は、回転軸Ｐ（図５）を中心として形成された円筒状の突部であり、ガイド部９０の内面９０ａおよび外面９０ｂは、滑らかな円筒面に形成されている。図３に示すように、ガイド部９０の軸方向長さＨ１は、ガイド溝５８の深さＤ１よりも短く、かつ、第２鍔部７４とリードケース１８との最大離間距離Ｄ２よりも長く設計されている。したがって、ガイド部９０とガイド溝５８とは常に嵌合状態にあり、ボタン３４を押したときには、ガイド部９０がガイド溝５８に案内されながら、回転体５６の全体が回転軸Ｐに対して平行方向に移動され、第２鍔部７４がリードケース１８に当接される。
【００４０】
＜ゼンマイの構成＞
図５に示すように、ゼンマイ４８は、渦巻状に巻かれた帯板状の弾性部材であり、ゼンマイ４８の中心部に位置する内側端部４８ａには、平板状の係止部９２が径方向に延びて形成されており、ゼンマイ４８の外周部に位置する外側端部４８ｂの幅方向両側には、凹状のフック部８０が形成されている。そして、図４（Ｃ）に示すように、ゼンマイ４８が回転体５６のゼンマイ収容部７６に収容されるとともに、その外側端部４８ｂがスリット７８を通して巻取り面７０ａ側に引き出されており、当該外側端部４８ｂがゼンマイ係止孔８２に挿通されて、フック部８０がゼンマイ係止孔８２の内周縁に係止されている。また、図３に示すように、ゼンマイ４８の係止部９２が支柱４６に形成されたスリット５０に係止されている。
【００４１】
本実施形態のゼンマイ４８は、巻取り装置１６から引き出されたリード紐１４を、その弾性復元力を利用して巻き取るものである。したがって、ゼンマイ４８が自然状態（或いは自然状態に近い状態）にあるときには、リード紐１４の全体が回転体５６の巻取り面７０ａに巻き取られた状態にあり、リード紐１４を巻取り装置１６から引き出すにつれて、ゼンマイ４８が巻かれて弾性復元力を発生させるようになっている。
【００４２】
＜ロック部の構成＞
図２および図３に示すように、ロック部３８は、回転体５６の回転動作をロックすることによって、回転体５６から引き出されたリード紐１４の長さを固定するものであり、回転体５６の軸方向一方端面に形成された複数（本実施形態では８個）の第１係止部８８と、リードケース１８の内面に形成された複数（本実施形態では第１係止部８８と同数）の第２係止部４０と、回転体５６を第２係止部４０に向けて押圧するコイルばね５２と、係止板９３とを有している。
【００４３】
複数の第１係止部８８のそれぞれは、略扇形に形成された突部であり、第１係止部８８の両側面８８ａ，８８ｂは、回転体５６の回転軸Ｐを含む仮想平面内に位置して放射状に延びて形成されている。そして、複数の第１係止部８８が、回転軸Ｐを中心として、周方向に一定の間隔（本実施形態では４５度間隔）で配置されている。
【００４４】
複数の第２係止部４０のそれぞれは、複数の第１係止部８８に周方向から同時に係止される略扇形の凹部であり、第２係止部４０の両側面４０ａ，４０ｂは、回転軸Ｐを含む仮想平面内に位置して放射状に延びて形成されている。そして、複数の第２係止部４０が、回転軸Ｐを中心として、周方向に一定の間隔（本実施形態では４５度間隔）で配置されている。また、第２係止部４０の大きさは、第１係止部８８が嵌合可能なように、第１係止部８８の大きさよりも大きく設計されている。
【００４５】
なお、本実施形態では、第１係止部８８を突状に形成するとともに、第２係止部４０を凹状に形成しているが、これとは逆に、第１係止部８８を凹状に形成するとともに、第２係止部４０を突状に形成してもよいし、第１係止部８８および第２係止部４０の両方を突状に形成してもよい。また、第１係止部８８および第２係止部４０の形状は、互いに係止可能である限り特に限定されるものではなく、たとえば、第１係止部８８を円柱状に形成するとともに、第２係止部４０を任意形状の凹状に形成してもよい。
【００４６】
コイルばね５２（図３）は、ボタン３４の内面に形成された嵌合突起９４と、支柱４６の先端部に形成された係止突起５４との間で圧縮される弾性部材であり、コイルばね５２からボタン３４には、常に押圧力が付与されており、通常状態では、当該押圧力によって第１係止部８８が第２係止部４０に嵌め込まれて、複数の第１係止部８８に対する複数の第２係止部４０の係止状態が保持される。
【００４７】
係止板９３は、ボタン３４の端部に一体的に接合されることによって、後述する係止部３４ｃと協働して係止機能を発揮するものであり、コイルばね５２からボタン３４に押圧力が作用すると、この押圧力が係止部３４ｃおよび係止板９３を介して回転体５６に与えられ、回転体５６の全体（複数の第１係止部８８を含む。）が第２係止部４０の底面４０ｃ（図２）に向けて押圧される。
【００４８】
＜ロック解除部の構成＞
図２および図３に示すように、ロック解除部３２は、ロック部３８による回転体５６のロック状態を解除することによって、リード紐１４の長さ調節を可能にするものであり、複数の第１係止部８８が形成された回転体５６をその回転軸Ｐに対して平行方向（すなわち軸方向）に移動させる移動機構Ｆと、移動機構Ｆの移動範囲を規定するリードケース１８とを有している。移動機構Ｆは、操作者の手指で押される「入力部」としてのボタン３４と、回転体５６を軸方向に案内するガイド部９０およびガイド溝５８とを有している。
【００４９】
ボタン３４は、通常状態において、ケース本体２４の貫通孔３６から外部に突出される有底筒状のボタン本体３４ａを有しており、図４（Ｂ）に示すように、ボタン本体３４ａの底部内面３５の中央部には、コイルばね５２の一方端部が嵌合される嵌合突起９４が一体的に形成されている。また、ボタン本体３４ａの外周部には、回転体５６のガイド溝８６ｂに回転自在に係止される筒状の係止部３４ｂと、回転体５６の段部８６ｃに回転自在に係止される鍔状の係止部３４ｃとが一体的に形成されており、ボタン本体３４ａの開口側の端部には、回転体５６のボタン係止部８６に係止される係止板９３が接着剤等によって一体的に接合されている。
【００５０】
図３に示すように、第２係止部４０が第１係止部８８に係止された通常状態では、回転体５６の第２鍔部７４がリードケース１８の内面から離間しており、この離間距離Ｄ２が第１係止部８８の高さＨ２よりも長くなっている。また、ガイド部９０の軸方向長さＨ１は、第２鍔部７４とリードケース１８との最大離間距離Ｄ２よりも長く設計されているので、回転体５６のガイド部９０とリードケース１８のガイド溝５８との嵌合状態が保持されている。したがって、図８に示すように、ボタン３４を押すことによって、回転体５６を、ガイド溝５８で案内しながら回転軸Ｐに対して平行方向（すなわち軸方向）に移動させることが可能であり、これにより複数の第１係止部８８に対する複数の第２係止部４０の係止状態を解除することができる。
［収容ケースの構成］
図６は、リードケース１８および収容ケース２２の構成を示す斜視図であり、図７は、リードケース１８に対する収容ケース２２の取付構造を示す断面図である。
【００５１】
図６および図７に示すように、収容ケース２２は、透明樹脂（アクリル、ポリカーボネート等）からなり、「収容物」としての鑑札Ａおよび注射済票Ｂ等を収容する容器であり、収容空間Ｓ２を構成するケース本体９６を有している。ケース本体９６は、リードケース１８（蓋体２６）の表面に固定される固定板部９８と、固定板部９８の周縁部に形成された４つの側壁部１００ａ〜１００ｄとを有しており、固定板部９８の外面には、リードケース１８の接合孔６０に嵌合される４つの嵌合突起１０２（図７）が形成されている。また、ケース本体９６における固定板部９８に対向する面には、「収容物」を出し入れする開口部１０４（図６）が形成されており、開口部１０４には、ヒンジ部１０６を介して蓋体１０８が開閉自在に設けられている。さらに、固定板部９８の内面には、鑑札Ａおよび注射済票Ｂ等を支持する「支持部」としての平坦面９８ａが形成されており、この平坦面９８ａに対して鑑札Ａおよび注射済票Ｂ等が両面粘着テープ等の接合部材９９を用いて取り付けられる。これにより、鑑札Ａおよび注射済票Ｂ等を「透明部」としての蓋体１０８を通して外部から視認できるようになっている。
【００５２】
図７に示すように、リードケース１８の接合孔６０は、外側開口部６０ａから内側開口部６０ｂに向かうにつれて断面積が広くなるように円錐状に形成されており、一方、収容ケース２２の嵌合突起１０２は、軸部１０２ａと軸部１０２ａの先端部に形成された球状の係止部１０２ｂとを有しており、係止部１０２ｂの直径は、外側開口部６０ａの内径よりも大きく、かつ、内側開口部６０ｂの内径よりも小さく設計されている。したがって、外側開口部６０ａから接合孔６０の内部に係止部１０２ｂを無理入れすることによって、係止部１０２ｂを接合孔６０の内面に嵌合することが可能であり、この嵌合構造によって収容ケース２２をリードケース１８に強固に接合することができる。
【００５３】
また、図７に示すように、蓋体１０８の先端部１０８ａには、フック部１１０が形成されており、ケース本体９６の側壁部１００ｄには、フック部１１０を係止する係止部１１２が形成されており、係止部１１２でフック部１１０を係止することによって、蓋体１０８の閉状態が保持される。
【００５４】
なお、本実施形態では、ケース本体９６と蓋体１０８とが「透明樹脂」によって一体的に形成されているが、これらは、「不透明樹脂」または「金属」によって一体的に形成されてもよいし、同種または異種の材料によって別々に形成されてもよい。また、ケース本体９６がアルミニウム合金等によってリードケース１８と一体的に形成されてもよい。
［ペット用リードの使用方法］
ペット用リード１０を使用する際には、図６に示すように、収容ケース２２の収容空間Ｓ２に「収容物」としての鑑札Ａ、注射済票Ｂおよび飼い主の連絡先を書いたカード等を収容し、蓋体１０８を閉じるとともにフック部１１０を係止部１１２で係止する。また、図１に示すように、帯状の装着ベルト１２ａを環状の取付部２０に挿通し、この装着ベルト１２ａを犬（ペット）の首に装着する。
【００５５】
そして、図８に示すように、リード紐１４を使用しないときには、ロック解除部３２のボタン３４を押すことによって第２係止部４０に対する第１係止部８８の係止状態を解除する。すると、ゼンマイ４８の弾性復元力によって回転体５６が回転され、巻取り部７０の巻取り面７０ａにリード紐１４が巻き取られ、把持部６２がリードケース１８の外面における貫通孔４２の近傍に配置される。この状態では、リード紐１４のほぼ全体がリードケース１８の内部に収容されているので、リード紐１４がペットの運動の邪魔になることはなく、ペットの自由を確保することができる。
【００５６】
ペットを散歩に連れ出すときのように、ペットの動きを制限する必要がある場合には、ボタン３４を押して第２係止部４０に対する第１係止部８８の係止状態を解除するとともに、把持部６２を把持してリード紐１４を必要な長さだけ引き出し、リード紐１４の長さを調節する。そして、リード紐１４の長さ調節が完了すると、ボタン３４に対する押圧力を解除する。すると、コイルばね５２の弾性復元力によってボタン３４が元の位置に戻され、複数の第１係止部８８に対する複数の第２係止部４０の係止状態が保持される。この状態では、ロック部３８によって回転体５６の回転動作がロックされるので、リード紐１４の長さが不所望に変化するのを防止することができる。
【００５７】
散歩の途中にペットが迷子になったときには、多くの場合、第三者によってペットが保護されるが、本実施形態では、収容ケース２２の収容空間Ｓ２に鑑札Ａおよび注射済票Ｂ等が収容されており、しかも、これらを透明な蓋体１０８を通して外部から視認することができるので、第三者は、鑑札Ａおよび注射済票Ｂ等に記載された情報を手掛かりとして、飼い主を迅速に探し出すことができる。
【産業上の利用可能性】
【００５８】
本考案に係るペット用リードは、犬、猫および猿等の様々な種類のペットに幅広く適用可能である。特に、犬に適用する場合には、「鑑札」および「注射済票」を簡単に装着することができるので、「狂犬病の予防」や「迷子犬の飼い主探し」に便利である。
【符号の説明】
【００５９】
Ｆ…  移動機構
Ｐ…  回転軸
Ｓ１，Ｓ２…  収容空間
１０…  ペット用リード
１２…  装着具
１４…  リード紐
１６…  巻取り装置
１８…  リードケース
２０…  取付部
２２…  収容ケース
２４…  ケース本体
２６…  蓋体
３２…  ロック解除部
３４…  ボタン
３６…  貫通孔
３８…  ロック部
４０…  第２係止部
４２…  貫通孔
４６…  支柱
４８…  ゼンマイ
５０…  スリット
５２…  コイルばね
５６…  回転体
５８…  ガイド溝
６０…  接合孔
６２…  把持部
７０…  巻取り部
７２…  第１鍔部
７４…  第２鍔部
７６…  ゼンマイ収容部
７８…  スリット
８０…  フック部
８２…  ゼンマイ係止孔
８３…  結び目
８４…  リード紐係止孔
８６…  ボタン係止部
８８…  第１係止部
９０…  ガイド部
９２…  係止部
９４…  嵌合突起
９６…  ケース本体
９８…  固定板部
１０２…  係止突起
１０６…  ヒンジ部
１０８…  蓋体
【図１】
0003159267.tif 000003
【図２】
0003159267.tif 000004
【図３】
0003159267.tif 000005
【図４】
0003159267.tif 000006
【図５】
0003159267.tif 000007
【図６】
0003159267.tif 000008
【図７】
0003159267.tif 000009
【図８】
0003159267.tif 000010